(57)【要約】【課題】電球などの熱源を利用して香剤を加熱する場合、適度に香剤を加熱することができ、しかも、立ち上がり時における香の放出量を大きくすることができる照明用芳香装置を提供する。【解決手段】香剤５を載置する香剤載置台１と、その香剤載置台１を加熱する白熱電球２１とを備え、その白熱電球２１による香剤載置台１への熱に応じて香剤載置台１と白熱電球２１との距離を離間させるバイメタル４１やスライド機構４２などを設けるようにする。このバイメタル４１は、平面状をなす香剤載置台１の下面側に白熱電球２１に接触するように設けられ、白熱電球２１からの熱によって変形するとともに、スライド機構４２によって香剤載置台１を上方へ持ち上げるようにする。これによって熱量に応じて香剤載置台１を離間させ、立ち上がりよく香を放出できるようにするとともに、長時間にわたって香を放出できるようにする。【選択図】図３
0003145232.tif 000002
【実用新案登録請求の範囲】
【請求項１】
香剤を加熱することによって香料を放出する照明用芳香装置において、香剤を載置する香剤載置台と、当該香剤載置台を加熱する電球とを備え、当該電球による香剤載置台への熱に応じて香剤載置台と電球との距離を離間させる離間手段を備えたことを特徴とする照明用芳香装置。
【請求項２】
前記香剤載置台が、電球との距離を離間させるスライド機構によって支持されるものであり、前記離間手段が、電球の熱に応じて変形するバイメタルで構成されるものであり、当該バイメタルの変形によって前記香剤載置台を電球から離間させるようにした請求項１に記載の照明用芳香装置。
【請求項３】
前記スライド機構は、電球の側方に立設された複数本の中空状柱体と、当該中空状柱体にスライド可能に挿入される棒材とを備え、当該棒材に前記香剤載置台を支持させるようにした請求項２に記載の照明用芳香装置。
【請求項４】
前記バイメタルは、香剤載置台の下面であって電球と接触する位置に設けられるものである請求項２に記載の照明用芳香装置。
【請求項５】
前記バイメタルを香剤載置台の下面に設ける場合、香剤載置台の下面側に、電球を覆う下向きの凹状部を設け、この凹状部の内部であって香剤載置台の下面にバイメタルを設けるようにした請求項４に記載の照明用芳香装置。
【考案の詳細な説明】
【技術分野】
【０００１】
本考案は、紛状や固形状、液状の香剤を加熱することによって香を出力することのできる装置に関し、より詳しくは、照明用の電球の熱を利用して香を出力できるようにした照明用芳香装置に関するものである。
【背景技術】
【０００２】
一般に、照明用芳香装置は、アロマオイルなどの香剤を加熱して発せられた芳香によって、気分をリラックスさせたり、また、その装置からの照明によって雰囲気を和らげたりするために用いられる。
【０００３】
ところで、このような芳香装置としては、従来より、種々のものが提案されているが、その代表的な構成を図６に示す。
【０００４】
図６は、キャンドルの火によってアロマオイルなどの香剤を加熱することのできるようにした芳香装置７００であって、セラミックなどの陶器で形成され側面に開口部７０１ａを有する容体７０１と、この容体７０１に載置される香剤皿７０２とを備え、この容体７０１の開口部７０１ａにキャンドル７０３を収納して香剤皿７０２上の香剤を加熱できるようにしたものである。
【０００５】
また、上記の芳香装置の他にも、特許文献１に記載されるような照明用芳香装置も提案されている。
【０００６】
この照明用芳香装置を図５に示すと、この照明用芳香装置８００は、電球８０３の熱を利用して香剤を加熱できるようにしたもので、台座８０１に取り付けられたコの字形状を有する支柱８０２と、該支柱８０２の上端に載置される電球８０３と、該支柱８０２から延設するように取り付けられる支持金具８０４と、該支持金具８０４の上端に載置される香剤皿８０５と、該香剤皿８０５及び前記電球８０３を覆うランプシェード８０６とからなるものである。
【０００７】
このような照明用装置によれば、キャンドル７０３や電球８０３の光によって光の演出をも楽しめることができると同時に、独立した熱源を設ける必要がなく、コスト削減を図ることができるようになるというメリットもある。
【特許文献１】実登第３０８６６７０号
【考案の開示】
【考案が解決しようとする課題】
【０００８】
しかしながら、上記ように熱源として白熱電球を用いた芳香装置には、以下に示すような問題がある。
【０００９】
すなわち、熱源としてキャンドルを用いた場合、キャンドルの高さ寸法や炎の強さによっては急激に香剤が加熱されてしまい、香剤が焦げてしまう可能性がある。また、図６に示すように、熱源として電球を用いた場合は、電球８０３と香剤皿８０５が離間しているため、その距離の調節が難しく、香剤皿８０５を電球８０３に近づけ過ぎた場合は香剤が焦げてしまい、一方、香剤皿８０５を電球８０３から離し過ぎた場合は、香剤が加熱されなくなるといった問題を有する。また、香剤皿８０５との距離が離れているため、立ち上がり時における香の放出量が少なくるという問題もある。
【００１０】
そこで、本考案は上記課題に鑑みてなされたもので、電球などの熱源を利用して香剤を加熱する場合、適度に香剤を加熱することができ、しかも、立ち上がり時における香の放出量を大きくすることができる照明用芳香装置を提供することを目的とする。
【課題を解決するための手段】
【００１１】
すなわち、本考案は上記課題を解決するために、香剤を加熱することによって香料を放出する照明用芳香装置において、香剤を載置する香剤載置台と、当該香剤載置台を加熱する電球とを備え、当該電球による香剤載置台への熱に応じて香剤載置台と電球との距離を離間させる離間手段を備える。
【００１２】
このように構成すれば、香剤載置台が電球によって十分に熱せられるまでは、この香剤載置台を熱源に近づけておくことができ、立ち上がり時における香の放出量を大きくすることができる。また、香剤載置台が加熱されてきた場合は、離間手段によって香剤載置台を離間させることができるので、香剤が焦げるようなことがなくなり、長時間にわたって香を放出することができるようになる。
【００１３】
また、このような考案において、香剤載置台を、電球との距離を離間させるスライド機構によって支持し、また、離間手段を、電球の熱に応じて変形するバイメタルによって構成する。そして、そのバイメタルの変形によって前記香剤載置台を電球から離間させるようにする。
【００１４】
このようにすれば、バイメタルの変形によってのみ香剤載置台を離間させることができるので、簡単な構成で、しかも、低コストで装置を構成することができるようになる。
【００１５】
さらに、スライド機構として、電球の側方に立設された複数本の中空状柱体と、当該中空状柱体にスライド可能に挿入される棒材とを備えて構成し、この棒材に前記香剤載置台を支持させるようにする。
【００１６】
このようにすれば、電球上に自重で香剤載置台を載せることができるため、強制的に大きな荷重を電球に掛けることがなくなるため、電球が割れる配がなくなる。また、電球を交換する際は、その棒材を抜くことでソケットの上方を開放させることができ、簡単に電球を交換させることができるようになる。
【００１７】
加えて、バイメタルを、香剤載置台の下面であって電球と接触する位置に設けるようにする。
【００１８】
このようにすれば、バイメタルが直接電球に接しているため、感度よくバイメタルを変形させることができるようになる。
【００１９】
また、バイメタルを香剤載置台の下面に設ける場合、香剤載置台の下面側に、電球を覆う下向きの凹状部を設け、この凹状部の内部であって香剤載置台の下面にバイメタルを設ける。
【００２０】
このように構成すれば、電球の熱が凹状部の空間内に溜まり、香剤載置台を効率よく加熱することができるとともに、バイメタルの感度もよくすることができるようになる。
【考案の効果】
【００２１】
本考案によれば、香剤を加熱することによって香料を放出する照明用芳香装置において、香剤を載置する香剤載置台と、当該香剤載置台を加熱する電球とを備え、当該電球による香剤載置台への熱に応じて香剤載置台と電球との距離を離間させる離間手段を備えようにしたので、香剤載置台が電球によって十分に熱せられるまでの間は、この香剤載置台を熱源に近づけておくことができ、立ち上がり時における香の放出量を大きくすることができる。また、香剤載置台が加熱されてきた場合は、離間手段によって香剤載置台を離間させることができるので、香剤が焦げるようなことがなくなり、長時間にわたって香を放出することができるようになる。
【考案を実施するための最良の形態】
【００２２】
以下、本考案の実施の形態について、図面を参照して説明する。図１は、本実施の形態における照明用芳香装置１００の外観斜視図であり、図２は、その断面概略図を示したものである。また、図３は、白熱電球２１による熱によってバイメタル４１を変形させ、香剤載置台１を離間させた状態を示したものである。
【００２３】
まず、本実施の形態における照明用芳香装置１００の概要について説明する。この照明用芳香装置１００は、熱源である白熱電球２１からの熱によって香剤載置台１に載置された香剤を加熱するためのものであって、図１や図２に示すように、香剤を載置するための香剤載置台１と、香剤を加熱するための白熱電球２１と、前記熱源からの熱によってこの熱源と香剤載置台１とを離間させる離間手段４とからなるものである。
【００２４】
この香剤載置台１は、抹茶粉やアロマオイルなどの香剤５を載置して加熱するためのものであり、熱伝導性の良い金属からなる。この香剤載置台１は、平面状の金属部材の上面に香剤５を載置できるようにするとともに、その下面については、後述するバイメタル４１を取り付けて白熱電球２１に接触させるようにしている。そして、その金属部材の外周部分に壁面１１を設けることによって、上面については上向き凹状をなして香剤５が落ちないようにし、また、下面については、下向き凹状の凹状部１２を設けて白熱電球２１の上部を覆って、熱を囲い込めるようにしている。
【００２５】
この香剤載置台１に載置される香剤５は、固形状、粉末状、液状の香剤が用いられる。なお、ここでは、抹茶粉をコイン状に固めた香剤を用いることとするが、必ずしもこれに限定されるものではない。抹茶粉を香剤として使用する場合、抹茶粉製造時において飲料粉末として商品価値のなくなったものを用いる。
【００２６】
熱源は、香剤５を加熱して香りを放出させることができるようにしたもので、本実施の形態においては、白熱電球２１を用いている。この白熱電球２１は、台座部３の中心に電球ソケット２２を取り付けて上向きに電球を取り付けられるようにしたもので、図示しない電力供給源及びコードを介して電力が供給される。また、台座部３の下面には、複数本のゴムや樹脂製の脚３１を取り付けており、熱源からの熱が直に床や机に伝わらないようにしている。
【００２７】
離間手段４は、香剤載置台１と熱源とを熱に応じて離間させるものであって、白熱電球２１を点灯させた際には香剤載置台１を白熱電球２１に近づける一方、香剤載置台１が加熱してきた場合には白熱電球２１との距離を離間させるようにしている。このような離間手段４としては、バイメタル４１と、香剤載置台１を上下方向にスライドさせることによって熱源からの距離を調整するスライド機構４２とを用いる。
【００２８】
離間部材として使用されるバイメタル４１は、熱膨張率の異なる２枚の金属板を張り合わせて構成されるものであって、加熱によって上下の金属板が熱膨張して屈曲するように変形させるものである。このバイメタル４１は、香剤載置台１の下面にその一端側が香剤載置台１の裏面に固着されるように取り付けられており、他端側をフリーな状態として屈曲させるようにしている。そして、そのフリーな状態となった他端側を白熱電球２１に接触させ、その白熱電球２１からの熱によって屈曲させるように変形させて、香剤載置台１に上向きの力を付与する
【００２９】
この香剤載置台１を上方に持ち上げるために設けられるスライド機構４２は、香剤載置台１を傾けることなく水平な状態で上下方向にスライドさせるものであって、香剤載置台１を支持する柱体４２ａと棒材４２ｂとからなる。
【００３０】
この柱体４２ａは、台座部３中心に配設される白熱電球２１のまわりに複数本立設され、それぞれの柱体４２ａ下端を台座部３に固着している。この柱体４２ａは中空状に構成されており、その内側に僅かな隙間を設けて棒材４２ｂを上下方向にスライド挿入させられるようになっている。そして、この棒材４２ｂの上端部分に香剤載置台１を取り付けることによって、香剤載置台１を、水平面を保ったまま上下方向にスライドさせられるようにしているとともに、白熱電球２１を交換する際には、その棒材４２ｂごと香剤載置台１を取り外してソケットの上方を開放し、白熱電球２１を交換できるようにしている。
【００３１】
次に、このように構成された照明用芳香装置１００の使用方法や香が放出される際の作用について説明する。
【００３２】
まず、照明用芳香装置１００を使用する場合、ソケットに白熱電球２１を取り付け、その後、棒材４２ｂを中空状の柱体４２ａに挿入させて、バイメタル４１を白熱電球２１に接触させる。このとき、香剤載置台１は、バイメタル４１を介して、白熱電球２１の頂点側で支持され、また、中空状の柱体４２ａによって水平面が保たれた状態となっている。
【００３３】
そして、このように白熱電球２１や香剤載置台１を取り付けた後、香剤載置台１にコイン状に加工した抹茶粉などの香剤５を載せ、電源のスイッチを入れて白熱電球２１を点灯させる。
【００３４】
すると、点灯直後は、図２に示すように、白熱電球２１とバイメタル４１と香剤載置台１とが重なった状態で保持され、フィラメントから放出された熱がバイメタル４１を介して香剤載置台１に直接伝わり、香剤５を迅速に加熱するとともに、下向き凹状に構成された空間内に熱を囲い込んで、その熱も利用して香剤５を加熱する。これにより、立ち上がりよく香剤５から香を放出させる。
【００３５】
そして、このように立ち上がりをよく香剤５を加熱した後、バイメタル４１が一定の温度まで加熱されると、図３に示すように、バイメタル４１が下向きに曲がっていき、その変形に連動して、香剤載置台１に上向きの力が付与される。そして、この上向きの力によって棒材４２ｂが上向きにスライドし、香剤載置台１が白熱電球２１から若干離間した状態となるように持ち上げられる。これにより、白熱電球２１と香剤載置台１との直接的な接触がなくなり、徐々に香剤５を熱することで長時間にわたって香を放出させる。また、周囲の温度変化などによってバイメタル４１の温度が低下した場合は、バイメタル４１が元の状態に戻って白熱電球２１と香剤載置台１とが接触し、直接的に香剤５を加熱するようにする。
【００３６】
このように上記実施の形態によれば、香剤５を載置する香剤載置台１と、その香剤載置台１を加熱する白熱電球２１とを備え、その白熱電球２１による香剤載置台１への熱に応じて香剤載置台１と白熱電球２１との距離を離間させるバイメタル４１やスライド機構４２などを設けるようにしたので、香剤載置台１が白熱電球２１によって十分に熱せられるまでの間は、この香剤載置台１を熱源に近づけておくことができ、立ち上がり時における香の放出量を大きくすることができる。また、香剤載置台１が加熱された場合は、香剤載置台１を離間させるようにしたので、香剤５が焦げるようなことがなくなり、長時間にわたって香を放出することができるようになる。また、このような離間手段をバイメタル４１を用いて構成するようにしたので、非常に簡単な構成で香剤載置台１を離間させることができ、低コストに装置を構成することができるようになる。
【００３７】
また、スライド機構として、白熱電球２１の側方に立設された複数本の中空状の柱体４２ａと、この中空状の柱体４２ａにスライド可能に挿入される棒材４２ｂとを備えて構成し、この棒材４２ｂに前記香剤載置台１を支持させるようにしたので、白熱電球２１に自重で香剤載置台１を載せることができ、電球の割れなどの配がなくなる。また、白熱電球２１を交換する際は、その棒材４２ｂごと香剤載置台１を抜くことでソケットの上方を開放させることができ、簡単に白熱電球２１を交換させることができるようになる。
【００３８】
加えて、バイメタル４１を、香剤載置台１の下面であって白熱電球２１と接触する位置に設けるようにしたので、感度よくバイメタル４１を変形させることができるようになる。
【００３９】
また、バイメタル４１を香剤載置台１の下面に設ける場合、香剤載置台１の下面側の周囲に壁面１１を設け、これによって下向きの凹状部１２を構成するようにしたので、電球の熱をその凹状部１２に溜めることができ、香剤載置台１の加熱を効率よくすることができるとともに、バイメタル４１の感度もよくすることができるようになる。
【００４０】
なお、本考案は上記実施形態を一例として実現されるが、これと異なる種々の方法によっても実現させることができる。
【００４１】
例えば、上記実施の形態では、スライド機構４２として、中空状の柱体４２ａと棒材４２ｂとで構成する場合について説明したが、これに限らず、レールなどのガイド金具を用いて棒材などの支持部材をスライドさせることもできる。
【００４２】
また、上記実施の形態ではスライド機構４２を用いて香剤載置台１を離間させるようにしているが、このスライド機構４２を用いることなく、香剤載置台１を離間させるようにしてもよい。この場合、離間手段４として、香剤載置台１を支持する複数本の棒材の下端や上端部分にバイメタルを取り付け、このバイメタルに白熱電球の熱を伝達させるようにすることもできる。
【００４３】
また、上記実施の形態において、香剤載置台１の下面に直接的にバイメタル４１を取り付けるようにしているが、そのバイメタル４１も白熱電球２１に接触しているため、白熱電球２１からの熱が香剤載置台１に伝達される可能性がある。このような場合は、香剤載置台１とバイメタル４１との間に、比較的熱伝導率の小さいセラミックなどの熱伝導低減部材を挟み込む。これにより、香剤載置台１と白熱電球２１が離間した後に、白熱電球２１からバイメタル４１及び金属製の香剤載置台１を介して香剤まで熱が伝達することを低減することができる。
【図面の簡単な説明】
【００４４】
【図１】本考案の第一の実施形態を示す照明用芳香装置の斜視図
【図２】同形態における立ち上がりまでの照明用芳香装置の断面図
【図３】同形態における立ち上がり後の照明用芳香装置の断面図
【図４】従来の芳香装置の斜視図
【図５】特許文献１に記載する照明装置の斜視図
【符号の説明】
【００４５】
１００・・・照明用芳香装置
１・・・香剤載置台
３・・・台座部
４・・・離間手段
５・・・香剤
１１・・・壁面
１２・・・凹状部
２１・・・白熱電球
２２・・・ソケット
３１・・・脚
４１・・・バイメタル
４２・・・スライド機構
４２ａ・・・柱体
４２ｂ・・・棒材
【図１】
0003145232.tif 000003
【図２】
0003145232.tif 000004
【図３】
0003145232.tif 000005
【図４】
0003145232.tif 000006
【図５】
0003145232.tif 000007